(57)【要約】【課題】  建設中の高層マンション等において排水管等を上下に配管するためにコンクリートスラブに設けられるスラブ孔を配管施工工事が開始されるまでの間、一時的に塞いでおくための蓋であって、従来のものはスラブ孔に対する脱着作業が面倒であるとともにシール性が低いものであったので、本発明では、スラブ孔に簡単に取り付け、取り外すことができ、かつ高いシール性を有する蓋を提供する。【解決手段】  コンクリートスラブ１１の上面に当接してスラブ孔１１ａを塞ぐ蓋板２と、蓋板２の裏面に取り付けられて圧縮空気の注入により膨張される空気袋３を備え、空気袋３をスラブ孔１１ａ内で膨張させて蓋体２をスラブ孔１１ａを塞いだ状態に保持する構成とする。【選択図】        図１
2005076201.tif 000002
【特許請求の範囲】
【請求項１】
コンクリートスラブを貫通して設けられたスラブ孔を塞ぐための蓋であって、前記コンクリートスラブに当接して前記スラブ孔を塞ぐ蓋板と、該蓋板の片面に取り付けられて圧縮空気の注入により膨張される空気袋を備え、該空気袋を前記スラブ孔内で膨張させて前記蓋体を前記スラブ孔を塞いだ状態に保持する構成としたスラブ孔の蓋。
【請求項２】
請求項１記載の蓋であって、空気袋は、スラブ孔の内周面に沿って円環形状に膨張する構成としたスラブ孔の蓋。
【請求項３】
請求項１または２記載の蓋であって、空気袋は、膨張させると圧縮空気の圧力によりスラブ孔の内周面に押し付けられる構成としたスラブ孔の蓋。
【請求項４】
請求項１〜３のいずれか１項に記載した蓋であって、蓋体および／または空気袋が透明の素材により形成されたスラブ孔の蓋。
【請求項５】
請求項１〜４のいずれか１項に記載した蓋であって、空気袋の圧縮空気注入口が蓋体の反対側の片面から突き出されたスラブ孔の蓋。
【請求項６】
請求項２記載の蓋であって、蓋体の裏面側に筒体部を設け、該筒体部を内周側に押し込んだ状態に空気袋を膨張させる構成としたスラブ孔の蓋。
【請求項７】
請求項１記載の蓋であって、蓋体の表面側に、該蓋体を貫通する内周孔を有する筒体部を設けたスラブ孔の蓋。
【請求項８】
請求項７記載の蓋であって、筒体部を塞ぐ補助蓋を備えたスラブ孔の蓋。
【発明の詳細な説明】
【技術分野】
【０００１】
この発明は、例えば集合住宅や高層マンション等の高層建築物に主として排水立て管を配管するために、各階を区画するコンクリートスラブに貫通して設けられる孔（以下、「スラブ孔」という）を建設途中の段階で一時的に塞いでおくための蓋に関する。
【背景技術】
【０００２】
高層建築物の建設中の段階において、例えば排水立て管の配管をするために各階を区画するコンクリートスラブ（以下、単にスラブともいう）には、排水立て管を挿通し、あるいは排水立て管に各階の横枝管を接続するための排水管継手をコンクリートスラブに固定するためのスラブ孔が予め上階と下階を貫通して設けられる。
また、排水管に限らず、給水管あるいは例えば空調用のダクトや電気配線等を挿通するめのチューブ等が各階を上下に貫通して配管される場合があり、この場合にもダクトやチューブを挿通するめのスラブ孔がコンクリートスラブの適所に貫通して設けられる場合もある。
このような目的でコンクリートスラブの打設時に予め設けられるスラブ孔は、排水立て管あるいは排水管継手等が配管施工されるまでの間、雨ざらしの状態で放置されることも珍しくない。このため、スラブ上に降り込んだ雨水等がスラブ孔を経て下階へ流れ込む場合があり、その結果下階が水浸しになってその後の作業に支障を来したり、また下階に搬入した資材や下階に設置した設備あるいは備品等が水浸しになって使い物にならなくなってしまう問題があった。
従来この問題を解消するために、スラブ孔を塞ぐための蓋あるいは止水具等が提供されていた。
【特許文献１】特開平１１−１８２０３６号公報
【発明の開示】
【発明が解決しようとする課題】
【０００３】
しかしながら、従来の蓋は、スラブ孔に対する脱着が面倒であり、また重いために取り扱いが不便である等の問題があった他、溜め水に対するシール性（水密性）に配慮されていない問題があった。
そこで、本発明では、スラブ孔に対して簡単に脱着することができるとともに、軽くて取り扱い性に優れ、しかもスラブ上に降り込んだ雨水（溜め水）等が下階側へ流れ込むことを確実に防止できる高いシール性を備えた蓋を提供することを目的とする。
【課題を解決するための手段】
【０００４】
このため、本発明は、添付した特許請求の範囲の各請求項に記載した構成の蓋とした。
請求項１記載の蓋によれば、蓋体をスラブ孔に被せて塞ぐとともに、空気袋をスラブ孔内で膨らませることによりスラブ孔を塞いだ状態に固定することができ、逆に空気袋の空気を抜いて萎ませることによりスラブ孔から取り外すことができるので、スラブ孔に対する脱着を簡単に行うことができる。
しかも、蓋体と空気袋を主体とするものであるので極めて軽量であるので、その取り扱い性を従来に比して格段に向上させることができる。
空気袋は、膨らませてスラブ孔内周面に密着させる構成とする場合の他、適度なすき間をあけた状態で膨らませる構成としてもよい。前者の場合には、蓋体のスラブ面方向の位置ずれのみならず、スラブ孔に対する取り外し方向の位置ずれを防止できる。後者の場合には、蓋体のスラブ面方向の位置ずれを防止することができる。
【０００５】
蓋体にはスラブ孔を塞ぐに足る面積の、例えばベニヤ板、アクリル板、あるいは強化ガラス板等を用いることができる。また、空気袋には、ゴム製あるいはビニール製の風船、浮き輪、タイヤチューブ、あるいはこれらと同等品を用いることができる。
空気袋の蓋体に対する取り付けは、例えば紐で固定し、接着剤で固定し、空気袋に設けた突起をその弾性を利用して蓋体に凹凸係合させること等により固定することができる。空気袋は、１枚の蓋材に一つ設ける場合の他、複数設ける構成としてもよい。
当該蓋は、建物の上階と下階を区画する床のスラブ孔に用いる場合の他、壁面のスラブ孔に用いることもできる。
【０００６】
請求項２記載の蓋によれば、スラブ孔が円形孔である場合、蓋体を効率よく固定することができる。
請求項３記載の蓋によれば、蓋体をスラブ孔に対して強固に固定することができる。
請求項４記載の蓋によれば、蓋体および空気袋が透明の素材により製作されているので、スラブ孔を通して下階側に明かりあるいは日光が差し込むので、下階における作業環境をよくすることができる。
この明細書において、透明には、半透明を含むものとする。
請求項５記載の蓋によれば、蓋体をスラブ孔にセットした状態で空気袋を上階側において簡単に膨らませることができる。なお、空気注入口が空気袋の側部であって、蓋体側とは反対側に配置されている場合には、蓋体をスラブ孔にセットする前に、予め空気袋を膨らませておき、この膨らんだ状態の空気袋をスラブ孔に押し込むことにより当該蓋を取り付けることができる。
請求項６記載の蓋によれば、空気袋を、その内周側に筒体部が押し込まれることにより蓋体の裏面側に固定しておくことができるので、蓋体若しくは筒体部に対して空気袋を接着もしくは融着する必要がなくなる。この場合、空気袋を萎ませることにより、蓋体に対する脱着および交換を簡単に行うことができる。
請求項７記載の蓋によれば、筒体部の内周孔を経て例えば上階側の明かりを下階側へ差し込ませることができ、また上階側の音を下階側で聞くことができ、下階側の音を上階側で聞くことができるので、作業効率の向上を図ることができる。また、筒体部の内周孔を経て上階側から下階側の様子を視認することができるので、この点でも作業効率の向上を図ることができる。
請求項８記載の蓋によれば、筒体部の内周孔内に雨水等が直接降り込むことを防止することができる。
【発明を実施するための最良の形態】
【０００７】
次に、本発明の実施形態を図１〜図８に基づいて説明する。図１には、建設途中の高層建築物１０の上階側のコンクリートスラブ１１と下階側のコンクリートスラブ１２が示されている。上階側のコンクリートスラブ１１に設けられたスラブ孔１１ａには、以下説明する第１実施形態の蓋１が取り付けられている。下階側のコンクリートスラブ１２には、排水管継手１３が取り付けられている。この排水管継手１３は、スラブ孔１２ａを貫通する状態に固定されている。排水管継手１３は、スラブ孔１２ａ内にモルタル等を充填して行う埋め戻しによって固定されている。
スラブ孔１１ａとスラブ孔１２ａは、相互にほぼ同軸となる位置に設けられている。また、両スラブ孔１１ａ，１２ａは、相互にほぼ同じ径（サイズ）で設けられている。この両スラブ孔１１ａ，１２ａは、ともに排水管継手１３を固定するためのもので、一般には直径１５０ｍｍ〜２５０ｍｍ程度の大きさで形成される。
【０００８】
さて、図２には、第１実施形態の蓋１が単独で示されている。図示するように第１実施形態の蓋１は、平板形状の蓋体２と、この蓋体２の片面側に取り付けられた空気袋３を備えている。
蓋体２は、透明のアクリル板を素材として製作されている。この蓋体２は、スラブ孔１１ａの直径よりも大きな直径の円板形を有している。この蓋体２の裏面側（コンクリートスラブ１１の上面に当接される側の面、以下同じ）に、空気袋３が取り付けられている。この空気袋３は、蓋体２の裏面側のほぼ中心に設けた円筒形の筒体部２ａの外周側に取り付けられている。この筒体部２ａの外径は、空気を充填した状態の空気袋３の内径よりも若干大きめに設定されている。このため、空気袋３は、その内周側に筒体部２ａを押し込んだと同様の状態で取り付けられており、これにより空気が充填されて膨らんだ状態の空気袋３の位置が蓋体２とほぼ同心となる位置に確実に保持されるようになっている。
【０００９】
蓋体２の表面側の中央には、当該蓋１を取り扱う際の便宜を図るための取っ手４を取り付けておくことができる。この取っ手４は、図４に示すように鋼線をＴ字形に屈曲して形成したもので、蓋体２の表面側中央に形成したねじ孔２ｂにその下部の雄ねじ部４ａをねじ込んで固定する形式のものが用いられている。この場合、取っ手４の取り付け強度を確保するためにはねじ孔２ｂのねじ深さを一定以上確保する必要がある。このため、本実施形態では、蓋体２の裏面側中央に盛り上がり部２ｃを設けて、この盛り上がり部２ｃを利用してねじ孔２ｂの深さを一定寸法以上確保されるようにしている。
また、上記取っ手４に代えて、例えば図５に示すようなフランジ部５ａを備えたつまみ５を用いることもできる。このつまみ５の雄ねじ部５ｂがねじ孔２ｄにねじ込まれて取り付けられている。ねじ孔２ｄは、商品名ヘリサートと呼ばれる雌ねじ補強部材が用いられている。この雌ねじ補強部材によれば、蓋体２が比較的板厚が薄いアクリル板である場合、あるいはアルミニウム板である場合等であっても、つまみ５を強固に取り付けておくことができる。
【００１０】
空気袋３は、透明のビニールシートを素材として製作されており、海水浴等に用いる浮き輪に類似したものが用いられている。
この空気袋３は、空気を吹き込んで膨らませると、断面円形の円環形状（いわゆるドーナツ形、浮き輪形）になる。空気を抜くと萎んで、蓋体２の裏面側にぺしゃんこの状態に畳んでおくことができる。
この空気袋３は、蓋体２に対してほぼ同軸（中央）に取り付けられている。本実施形態ではこの空気袋３は、接着剤によって蓋体２に貼り付けられている。なお、接着ではなく融着によって空気袋３を蓋体２に取り付けてもよい。この空気袋３は、筒体部２ａに対しては直接接着若しくは融着しておく必要はない。
この空気袋３は、空気の注入口３ａを備えている。この注入口３ａには、キャップ３ｂが備え付けられている。本実施形態の場合、注入口３ａは、蓋体２を貫通して、空気袋３とは反対側（表面側）に突き出されている。この注入口３ａは、逆止弁を備えており、例えば人が口にくわえて息を吹き込むことにより圧縮空気を注入することができ、一旦注入された空気は漏れないようになっている。注入された空気は、注入口３ａの基部を指先で強くつまんで変形させることにより外部へ放出される。この点で、注入口３ａには、上記浮き輪の空気注入口と同じ機能を備えたものが利用されている。
この空気袋３は、空気を注入して膨らませると、スラブ孔１１ａよりも僅かに大きな外径を有する状態になる。このため、空気袋３を萎ませた状態で蓋体２をスラブ孔１１ａにセットして当該空気袋３をスラブ孔１１ａに位置させ、この状態で空気袋３に空気を注入して膨らませると、空気袋３は、注入した空気の圧縮力により、その外周面をスラブ孔１１ａの内周面に押し付けた状態となる。このため、スラブ孔１１ａで空気袋３を膨らませると、空気袋３は、スラブ孔１１ａ内から容易には抜け出ない状態に固定される。
逆に、注入口３ａの基部を指でつまんで変形させることにより、注入した圧縮空気を簡単に抜き取ることができる。空気を抜き取れば、蓋体２をスラブ孔１１ａから簡単に取り外すことができる。スラブ孔１１ａから蓋１を取り外した後、当該スラブ孔１１ａには例えば下階側と同様の排水管継手１３が埋め戻しにより固定される。
【００１１】
以上のように構成された第１実施形態の蓋１によれば、空気袋３を萎ませた状態のまま蓋体２をスラブ孔１１ａにセットし、然る後注入口３ａを経て空気袋３に圧縮空気を注入する。空気袋３に圧縮空気を注入するには、人が注入口３ａを口にくわえて息を吹き込むことにより行う他、自転車の空気入れ、あるいは簡易なコンプレッサー（圧縮空気供給装置）を用いて注入することもできる。
こうしてスラブ孔１１ａ内において空気袋３を充分に膨らませると、この空気袋３の外周側は注入した圧縮空気の圧力によりスラブ孔１１ａの内周側に押し付けられて当該空気袋３がスラブ孔１１ａ内から容易に抜けでない状態となり、これにより蓋体２がスラブ孔１１ａを塞ぎ、水密状態に維持される。この状態では、蓋体２は、スラブ面方向に移動不能であるとともに、上記したようにスラブ孔１１ａから容易に離脱しないように固定された状態となる。こうして取り付けた蓋１により、上階側のスラブ孔１１ａが塞がれるので、このスラブ孔１１ａを経て下階側へ雨水等が流れ込むことを防止することができる。
【００１２】
このように、第１実施形態の蓋１によれば、スラブ孔１１ａ内で空気袋３を膨らませるだけで取り付けることができるので、従来よりも簡単にスラブ孔を塞ぐことができる。また、取り付けた状態において空気袋３の空気を抜くだけで当該蓋１をスラブ孔１１ａから簡単に取り外すことができる。このことから、本例の蓋１によれば、スラブ孔１１ａに対する脱着時の操作性を従来に比して格段に向上させることができる。
また、第１実施形態の蓋１は、アクリル板を素材とする蓋体２とビニール製の空気袋３を主体とする構成であるので極めて軽量であることから、持ち運び時や脱着時等におけるその取り扱い性を従来よりも格段によくすることができる。
さらに、第１実施形態の蓋１は、透明のアクリル板を素材とする蓋体２と、透明のビニールシートを素材とする空気袋３を主体として構成されている。このため、この蓋１によってスラブ孔１１ａを塞いだ状態であっても、スラブ孔１１ａを経て上階の明かりを下階側へ採ることができ、また蓋１で日光が遮られることがないので、スラブ孔１１ａを経て下階を明るく照らすことができ、これにより下階側の作業環境を良好に維持することができる。また、本実施形態の空気袋３は、ドーナツ形を有しているので、その内周側を経て上階の明かり若しくは日光を下階側へ採ることができる。
また、空気袋３に圧縮空気を注入するための注入口３ａが蓋体２の表面側に突き出されているので、蓋体２をスラブ孔１１ａにセットした状態で空気袋３を膨らませ、あるいは萎ませることができ、この点でも当該蓋１の取り扱い性を向上させることができる。
さらに、空気を抜いておけば当該空気袋３は蓋体２の裏側にぺしゃんこにして畳んでおくことができるので、使用しない場合にはコンパクトにして収納しておくことができる。
【００１３】
以上説明した第１実施形態の蓋１には、種々変更を加えることができる。例えば、図３に示すように蓋体２の筒体部２ａを省略することができる。この第２実施形態の蓋２０の場合、空気袋３は、接着若しくは融着等の手段によって、蓋体２の裏面側に固定しておけばよい。
また、アクリル板を素材とする蓋体２を例示したが、蓋体は、アルミ板、鉄板、銅板等の金属板、あるいはベニヤ板等の木材、あるいは強化ガラス板、耐水性の段ボール板等を素材として製作してもよい。また、ビニールシートを素材とする空気袋３を例示したが、ゴムを素材とする空気袋、あるいは通気性のない布地を素材とする空気袋、皮革製の空気袋でもよい。
また、透明の蓋体２および透明の空気袋３を例示したが、これらは必ずしも透明若しくは半透明である必要はない。
膨らませると円環形状になる空気袋３を例示したが、球体になる空気袋、偏平の円板形状になる空気袋、あるいは直方体等のブロック体形状に膨らむ空気袋を用いることもできる。
また、空気袋３の注入口３ａが、蓋体２から上階側へ突き出された構成を例示したが、蓋体２とは反対側であって下階側に突き出す構成としてもよい。この場合、蓋体２をスラブ孔１１ａにセットする前に（空気袋３をスラブ孔１１ａ内に位置させる前に）、予め空気袋に圧縮空気を注入して膨らませておき、これをスラブ孔１１ａに押し込みながら蓋体２でスラブ孔１１ａを塞ぐことができる。
さらに、空気袋３は、蓋体２および筒体部２ａのいずれに対しても接着若しくは融着せず、空気袋３に空気を充填してその内周側に筒体部２ａを押し込み状態で保持することにより、蓋体２の裏面側に取り付けられる構成としてもよい。この構成によれば、空気袋３から空気を抜いて萎ませると、蓋体２から簡単に取り外すことができるので、収納に便利であり、かつ空気袋のサイズを変更したい場合、あるいは穴があいたため空気袋を交換したい場合には、容易に交換することができる。
【００１４】
空気袋３に圧縮空気を注入するためには、上記例示したように人が注入口３ａを口に加えて息を吹き込むことにより行ってもよいし、例えば自転車の空気入れを用いて行ってもよいし、例えばゴムボート等に用いられる足踏み式の空気入れを用いて行ってもよいし、さらには簡易なコンプレッサー（圧縮空気供給装置）を用いて行ってもよい。
さらに、上階と下階を区画するコンクリートスラブ１１に設けたスラブ孔１１ａを塞ぐための蓋１を例示したが、建物の隣室を区画する側壁となるコンクリートスラブに小窓等を設ける目的で貫通して設けたスラブ孔に適用することもできる。
また、例示した蓋１により排水管継手１３を取り付けるためのスラブ孔１１ａを塞ぐ形態を例示したが、本発明に係る蓋は、排水立て管を貫通させるためのスラブ孔、空調用ダクトを挿通させるためのスラブ孔、電気配線を挿通させるためのスラブ孔、あるいはこれら各種の物品を挿通させるための孔ではなく単なるデザイン上のスラブ孔を一時的に塞ぐためにも用いることができる。
従って、スラブ孔は円形である場合の他、長円形、楕円形、長溝形、矩形等のスラブ孔、あるいは不定形のスラブ孔であってもよく、いずれの形状のスラブ孔に対しても本願発明に係る蓋により簡単に塞ぐことができ、また簡単に取り外すことができる。
【００１５】
さらに、例えば図７に示すような蓋３０としてもよい。この第３実施形態の蓋３０は、円板形の蓋体３１の中央に、貫通する内周孔３１ｂを有する筒体部３１ａを一体に設けた構成を備えている。筒体部３１ａは、蓋体３１の表面側と裏面側へほぼ同じ寸法だけ突き出されている。空気袋３２は、前記空気袋３と同様蓋体３１の裏面側に接着若しくは融着により取り付けられている。また、この空気袋３２の内周側には、筒体部３１ａの裏面側（スラブ孔１１ａ内に入り込む部分）が押し込まれており、空気注入口３２ａが蓋体３１の表面側に突き出されている。これらの点も前記空気袋３と同様に構成されている。この第３実施形態の蓋３０をスラブ孔１１ａに取り付けた状態が図６に示されている。
この第３実施形態の蓋３０によれば、空気袋３２によってスラブ孔１１ａが水密にシールされるので、前記と同様下階側への雨水の流入を防止することができ、またその脱着時等における取り扱い性を向上させることができる。
また、蓋体３１に設けた筒体部３１ａの内周孔３１ｂを経て、上階側の明かり（光）Ｌが下階側へ差し込むので、下階側での作業環境をよくすることができる。
また、内周孔３１ｂを経て上階側の作業者と下階側の作業者が会話を交わすことができるとともに、上階側の作業者は下階側で発生する音を聞くことができ、逆に下階側の作業者は上階側で発生する音を聞くことができるので、この点で上階側および下階側での作業効率を高めることができる。
【００１６】
また、上階側の作業者は、内周孔３１ｂを経て下階側での作業の進行状況あるいは下階側の様子等をのぞき見ることができ、この点でも作業効率の向上を図ることができる。
なお、この蓋３０によれば、筒体部３１ａが蓋体３１の表面側に一定寸法突き出されているので、上階側のスラブ１１上に降り込んで溜まった雨水等がその内周孔３１ｂを経て下階側へ流れ込むことはない。
上記第３実施形態の蓋３０には、さらに補助蓋３５を用いることができる。図８には、筒体部３１ａの上部に補助蓋３５を被せた状態の蓋３０が示されている。この補助蓋３５を被せておくことにより、内周孔３１ｂ内に雨水等が直接降り込むことを防止できるとともに、異物がこの内周孔３１ｂを経て下階側へ落下することを防止することができる。
この第３実施形態の蓋３０にも、前記第１実施形態と同様の変更を加えることができる。すなわち、筒体部３１ａの、蓋体３１の下面側に突き出した部分を省略してもよい。また、蓋体３１および筒体部３１ａはアクリル板、アルミ板、鉄板、銅板等の金属板、あるいはベニヤ板等の木材、強化ガラス板、耐水性の段ボール板等を素材として製作してもよい。また、空気袋３２は、ビニールシート、ゴム、通気性のない布、あるいは皮革を素材とする構成としてもよい。
さらに、第１〜第３実施形態に係る蓋１，２０，３０およびこれらに変更を加えた構成において、蓋体２，３１をスラブ孔１１ａにセットした後にスラブ孔１１ａ内で空気袋３，３２を膨らませる形態を例示したが、空気袋３，３２を膨らませた後に、これをスラブ孔１１ａに押し込んで当該蓋１，３０を取り付ける構成としてもよい。
【図面の簡単な説明】
【００１７】
【図１】本発明の第１実施形態を示す図であって、上階側のスラブ孔に第１実施形態に係る蓋を取り付けた状態の建物の側面図である。
【図２】第１実施形態に係る蓋の縦断面図である。
【図３】第２実施形態の蓋の縦断面図である。
【図４】蓋体に取り付けた取っ手の斜視図である。
【図５】別形態の取っ手の斜視図である。
【図６】第３実施形態の蓋を上階側のスラブ孔に取り付けた建物の側面図である。
【図７】第３実施形態の蓋の縦断面図である。
【図８】補助蓋を被せた第３実施形態の蓋の縦断面図である。
【符号の説明】
【００１８】
１…蓋
２…蓋体、２ａ…筒体部、２ｂ…ねじ孔、２ｃ…盛り上がり部
３…空気袋、３ａ…注入口、３ｂ…キャップ
４…取っ手、４ａ…雄ねじ部
５…取っ手、５ａ…フランジ部、５ｂ…雄ねじ部
１０…建物
１１…コンクリートスラブ（上階側）、１１ａ…スラブ孔
１２…コンクリートスラブ（下階側）、１２ａ…スラブ孔
１３…排水管継手
２０…蓋（第２実施形態）
３０…蓋（第３実施形態）
３１…蓋体、３１ａ…筒体部、３１ｂ…内周孔
３５…補助蓋
Ｌ…明かり（光）
【図１】
2005076201.tif 000003
【図２】
2005076201.tif 000004
【図３】
2005076201.tif 000005
【図４】
2005076201.tif 000006
【図５】
2005076201.tif 000007
【図６】
2005076201.tif 000008
【図７】
2005076201.tif 000009
【図８】
2005076201.tif 000010